(57)【要約】      （修正有）【課題】位置確認環を通じて、操作者は中棒が圧縮されたときに、安全状態になっているか否かを直観的に確認することができる自動折畳傘を提供する。【解決手段】安全確認構造を有する自動折畳傘は、手元１と中棒２を含み、中棒は複数段からなり、複数段の中棒は連続的に摺動可能に覆うように設けられ、その最上方の１段の中棒の直径が最大であり、最上方の１段の中棒の底部には位置確認環３が設けられ、位置確認環は複数段に設けられている。複数段の位置確認環はそれぞれ異なる標記を有する。【選択図】図１
0003212864.tif 000002
【実用新案登録請求の範囲】
【請求項１】
手元と中棒を含み、中棒は複数段からなり、複数段の中棒は連続的に摺動可能に覆うように設けられ、最上方の１段の中棒の直径が最大である安全確認構造を有する自動折畳傘であって、前記最上方の１段の中棒の底部には位置確認環が設けられている、ことを特徴とする安全確認構造を有する自動折畳傘。
【請求項２】
前記位置確認環は複数段に設けられている、ことを特徴とする請求項１に記載の安全確認構造を有する自動折畳傘。
【請求項３】
前記複数段の位置確認環はそれぞれ異なる標記を有する、ことを特徴とする請求項２に記載の安全確認構造を有する自動折畳傘。
【請求項４】
前記位置確認環は内側から外側に渡ってベース層と、色彩層と、透光層を含む、ことを特徴とする請求項１乃至請求項３のいずれか一項に記載の安全確認構造を有する自動折畳傘。
【請求項５】
前記色彩層は蛍光粉を含む、ことを特徴とする請求項４に記載の安全確認構造を有する自動折畳傘。
【請求項６】
前記位置確認環は蛍光粘着ラベルである、ことを特徴とする請求項１に記載の安全確認構造を有する自動折畳傘。
【考案の詳細な説明】
【技術分野】
【０００１】
本考案は折畳傘の分野に属し、更に具体的は安全確認構造を有する自動折畳傘に関する。
【背景技術】
【０００２】
人々は生活が豊かになり、または製品の品質に対する要求も益々高くなっているため、通常の折畳傘に基づく自動折畳傘が出現されている。
【０００３】
自動折畳傘は外観上は通常の折畳傘とほぼ同じであり、手元、中棒、傘骨と傘布を有し、手元と中棒の内部に異なる点を有する。例えば、現在の三段式中棒を有する折畳傘はボタンを押すと傘を完全に開くことができ、再びボタンを押すと傘布と傘骨を畳むことができる。一部の物は中棒の一部を畳むことができるが、エネルギー保存の法則により、自動で傘を畳むときには、三段式中棒を開く前の状態に完全に戻すことができない。また、次に自動で開くためには、手動で手元に向かって中棒を押圧して、収縮させる必要がある。手動で中棒を押圧して傘を畳む過程で、中棒が所定の程度（最上方の１段の中棒が手元に近接または一部が手元内に進入する）に圧縮されて、手元内のロッキング装置がバネをロッキングするまで、巨大なバネの弾力（該バネの弾力は傘を開くための動力になる）を克服する必要がある。しかし、手動で傘を畳んで中棒を圧縮する過程で、バネがロッキングされているかを判断できない場合に、手を放すと、バネの巨大な弾力により、中棒が急速に延伸して身体に傷害を与える恐れがある。
【考案の概要】
【考案が解決しようとする課題】
【０００４】
従来技術の不足点に対して、本考案は最上方の１段の中棒の底部に、中棒とは区別される特徴を有する位置確認環が設置され、中棒を圧縮するとき、操作者は位置確認環と手元の位置関係を通じて傘を完全に畳むことができ、かつバネがロッキングされているか否かの、バネのロッキング状態の判断を行うため、バネのロッキング状態を判断できないことによる安全上の隠れた問題の発生を防ぐことができる。
【０００５】
安全確認構造を有する自動折畳傘は、手元と中棒を含み、中棒は複数段からなり、複数段の中棒は連続的に摺動可能に覆うように設けられ、その最上方の１段の中棒の直径が最大であり、前記最上方の中棒の底部には位置確認環が設けられている。
【０００６】
さらに、前記位置確認環は複数段に設けられている。
さらに、前記複数段の位置確認環はそれぞれ異なる標記を有する。
【０００７】
さらに、前記位置確認環は内部から外側へ渡ってベース層、色彩層、透光層を含む。
さらに、前記色彩層は蛍光粉を含む。
さらに、前記位置確認環は蛍光粘着ラベルである。
【０００８】
上記の目的を実現するため、本考案は下記のような技術手段により実現される。最上方の１段の中棒には位置確認環が増設されることにより、傘を畳むとき、操作者は中棒を押圧すると、位置確認環は段々手元に近づき、操作者は位置確認環と手元の間の距離を通じて、中棒内部のバネがロッキングされているか否かを判断することができる。操作者は視覚により安全領域にあるか否かを直感的に確認することができるため、操作者が同じ中棒のみを見て誤り判断を行うことを防ぎ、かつロッキング効率を高めることができる。
【図面の簡単な説明】
【０００９】
【図１】図１は、本考案における傘が開き状態になっている構造模式図である。
【図２】図２は、本考案における傘が閉じられて安全状態になっている構造模式図である。
【図３】図３は、本考案における位置確認環の径方向断面図である。
【考案を実施するための形態】
【００１０】
図１−図３を用いて、本考案における安全確認構造を有する自動折畳傘の実施例について詳しく説明する。
安全確認構造を有する自動折畳傘は、手元１と中棒２を含み、中棒２は複数段からなり、複数段の中棒２は連続的に摺動可能に覆うように設けられ、最上方の１段の中棒２の直径が最大であり、前記最上方の１段の中棒２の底部には位置確認環３が設けられている。
【００１１】
本実施例では、通常の三段式中棒２を例にして説明する。傘を完全に畳んだとき、最上方の一段の中棒２の底部は手元１と一致し、位置確認環３はその段の中棒２の底部に設けられ、位置確認環３がちょうど手元１内に全て進入される。傘を畳むとき、自動傘畳み機構を通じて、最上方の一段の中棒２は中央部の一段の中棒２と共に収縮されて重なっているが、最下方の一段の中棒２とは重ならない。操作者は手動で中棒２を圧縮することにより、位置確認環３が手元１内に進入されるまで、位置確認環３を手元１に近接させる。このとき、バネがロッキングされて、安全状態になったと判断する。当然、位置確認環３の開始位置を手元１の上方になるように配置して、位置確認環３の底部と手元１とを一致させてもよく、操作過程はほぼ同じである。
【００１２】
好ましくは、本実施例において、前記位置確認環３は複数段に設けられ、前記複数段の位置確認環３はそれぞれ異なる標記を有し、各段の位置確認環３には異なる標記が設けられているため、操作者が容易に判断することが可能となる。当然、好ましくは、複数段の位置確認環３は、傘を完全に畳んだとき、手元１の内部と手元１の外部に少なくとも一段の位置確認環３を有するように配置されている。
【００１３】
好ましくは、本実施例において、前記位置確認環３は内部から外側に渡って、ベース層３１、色彩層３２、透光層３３を含む。位置確認環３の標記は彩色に設けられて、中棒２と区別されている。特に、複数段の位置確認環３の彩色を緑色と赤色にして、赤色を緑色の下方に配置させる。傘を畳んだとき、赤色が手元１の外部に露出して観察されると、バネがロッキングされず、危険状態であることがわかる。赤色が手元１内に完全に進入されて、操作者が緑色のみを見るとき、バネがロッキングされて、安全状態になっていることを確認することができる。色の設置は人々の色彩への感覚による判断に適切しており、単独にロッキング規則を記憶する必要がない。
【００１４】
好ましくは、本実施例において、前記色彩層３２は蛍光粉を含み、透光層３３により色彩層３２を保護するために、透光層３３はプラスチック製ケース、またはカラープラスチック製ケースで製造されてもよく、色彩層３２の変色を防止し、かつ夜は蛍光粉により発光されるため、暗い夜でも他人に注意を与えることができる。
【００１５】
好ましくは、本実施例において、前記位置確認環３は蛍光粘着ラベルであり、蛍光粘着ラベルは装着しやすく、従来の位置確認環３を有しない自動折畳傘に適用することができる。中棒２と直接固定される位置確認環３に比べて蛍光粘着ラベルは摩損又は変位が生じやすくなるが、通常の使用には影響を与えない。
【００１６】
上述は本考案の好ましい実施形態のみであり、本考案の保護範囲は上述の実施例に制限されず、本考案の思想の技術方案は本考案の保護範囲内に属する。ここで指摘することは、当業者にとって、本考案の原理から離れない前提で、若干の改善と修飾を行うことができるが、これらの改善と修飾も本考案の保護範囲内に属する。
【符号の説明】
【００１７】
１、手元
２、中棒
３、位置確認環
３１、ベース層
３２、色彩層
３３、透光層。
【図１】
0003212864.tif 000003
【図２】
0003212864.tif 000004
【図３】
0003212864.tif 000005